(57)【要約】【課題】図面にコードを付すことによって図面に関連する各種情報を効率よく授受できる図面情報管理システム、及び、図面情報管理方法を提供する。【解決手段】図面情報管理システム１は、図面情報管理サーバ２０は、製品の加工用図面５０に関連する図面関連情報を、広域ネットワークを介して取得可能に格納し、図面情報登録装置３０は、図面情報管理サーバ２０に図面関連情報、アドレス、及びデータアクセスパスワードを格納させるとともに、このアドレス及びデータアクセスパスワードを含む画像コード５５を加工用図面５０に出力し、図面情報取得装置４０は、加工用図面５０に表示された画像コード５５を読み取り、画像コード５５に含まれるアドレス及びデータアクセスパスワードに基づいて図面情報管理サーバ２０にアクセスすることによって、ネットワーク１０を介して図面関連情報を取得する。【選択図】図１
2009230197.tif 000002
【特許請求の範囲】
【請求項１】
製品の加工用図面に関連する図面関連情報を、広域ネットワークを介して取得可能に格納する図面情報管理サーバと、
前記図面関連情報と、この前記図面関連情報を一意に指定するアドレス情報と、前記図面関連情報を取得する際の認証に用いられる認証情報とを、前記広域ネットワークを介して前記図面情報管理サーバに送信して格納させるとともに、このアドレス情報及び認証情報を含む画像コードを生成し、生成した画像コードを、前記加工用図面に表示可能に出力する図面情報登録装置と、
前記加工用図面に表示された前記画像コードを読み取り、この前記画像コードに含まれるアドレス情報及び認証情報に基づいて前記広域ネットワークを介して前記図面情報管理サーバにアクセスすることによって、前記広域ネットワークを介して前記図面関連情報を取得する図面情報取得装置と、を備えること、
を特徴とする図面情報管理システム。
【請求項２】
前記図面関連情報は、前記加工用図面に記載された製品を製造する製造装置によって使用される情報であり、
前記図面情報取得装置は、前記広域ネットワークを介して前記図面情報管理サーバから取得した前記図面関連情報を前記製造装置に出力すること、
を特徴とする請求項１記載の図面情報管理システム。
【請求項３】
前記図面情報管理サーバは、前記図面情報取得装置により前記図面関連情報が取得された場合に、その取得された前記図面関連情報を消去すること、
を特徴とする請求項１又は２記載の図面情報管理システム。
【請求項４】
前記図面情報登録装置は、前記加工用図面を印刷出力する印刷装置によって、前記画像コードを、前記加工用図面の印刷時に前記製品の図とともに印刷させること、
を特徴とする請求項１から４のいずれかに記載の図面情報管理システム。
【請求項５】
広域ネットワークを介して相互に接続された図面情報管理サーバと、図面情報登録装置と、図面情報取得装置と、を備えた図面情報管理システムにより実行され、
前記図面情報管理サーバによって、製品の加工用図面に関連する図面関連情報を前記広域ネットワークを介して取得可能に格納し、
前記図面情報登録装置によって、前記図面関連情報と、この前記図面関連情報を一意に指定するアドレス情報と、前記図面関連情報を取得する際の認証に用いられる認証情報とを、前記広域ネットワークを介して前記図面情報管理サーバに送信して格納させるとともに、このアドレス情報及び認証情報を含む画像コードを生成し、生成した画像コードを、前記加工用図面に表示可能に出力し、
前記加工用図面に表示された前記画像コードを読み取り、この前記画像コードに含まれるアドレス情報及び認証情報に基づいて前記広域ネットワークを介して前記図面情報管理サーバにアクセスすることによって、前記広域ネットワークを介して前記図面関連情報を取得すること、
を特徴とする図面情報管理方法。
【発明の詳細な説明】
【技術分野】
【０００１】
本発明は、図面に関する情報を管理する図面情報管理システム、及び、図面情報管理方法に関する。
【背景技術】
【０００２】
従来、図面を管理する目的で、個々の図面に図面識別用のバーコードを付す方法が知られている（例えば、特許文献１参照）。特許文献１に開示された方法では、図面ＩＤを示すバーコードを各図面に付与するとともに、各々の図面について、その図面が全体のどの部分の図面であるか、配線図面であるか配管図面であるか等の図面情報を、図面ＩＤに対応させてデータベースに登録する。そして、図面に付されたバーコードを読み取って図面ＩＤを判別し、この図面ＩＤを検索キーとして、データベースから図面情報を取得する。この方法によれば、図面に付されたバーコードを読み取ることで図面情報を取得できるようにして、図面の管理を効率化している。
【特許文献１】特開平１１−３５３３１７号公報
【発明の開示】
【発明が解決しようとする課題】
【０００３】
上記従来の方法は、多数の図面を一括して管理するような場所で効率のよいファイリング等を実現するためのものであり、その用途は図面自体の管理に限られていた。
しかし、上記に示したシステムは閉鎖的なシステムに適用される場合のものであって、ユーザがどこにいても図面に関する情報を容易に取得することができるシステムではなかった。また、図面に付されたＩＤ情報を読み取ることによって取得された図面情報を、効率よく利用できるシステムが望まれていた。
【０００４】
本発明は、上述した事情に鑑みてなされたものであり、図面にコードを付すことによって図面に関連する各種情報を効率よく授受できる図面情報管理システム、及び、図面情報管理方法を提供することを目的とする。
【課題を解決するための手段】
【０００５】
上記課題を解決するため、本発明は、製品の加工用図面に関連する図面関連情報を、広域ネットワークを介して取得可能に格納する図面情報管理サーバと、前記図面関連情報と、この前記図面関連情報を一意に指定するアドレス情報と、前記図面関連情報を取得する際の認証に用いられる認証情報とを、前記広域ネットワークを介して前記図面情報管理サーバに送信して格納させるとともに、このアドレス情報及び認証情報を含む画像コードを生成し、生成した画像コードを、前記加工用図面に表示可能に出力する図面情報登録装置と、前記加工用図面に表示された前記画像コードを読み取り、この前記画像コードに含まれるアドレス情報及び認証情報に基づいて前記広域ネットワークを介して前記図面情報管理サーバにアクセスすることによって、前記広域ネットワークを介して前記図面関連情報を取得する図面情報取得装置と、を備えること、を特徴とする図面情報管理システムを提供する。
【０００６】
この構成によれば、加工用図面に関連する図面関連情報が広域ネットワークを介して取得可能に図面情報管理サーバに格納され、この図面関連情報を取得するためのアドレス情報と認証情報とを含む画像コードが加工用図面に表示され、この加工用図面に表示された画像コードを読み取ることにより、画像コードに含まれるアドレス情報及び認証情報に基づいて、図面情報取得装置により図面関連情報を取得することができる。これにより、広域ネットワークに接続可能な場所であれば、場所を問わず、様々な相手との間で加工用図面に関連する情報を授受することができる。特に、図面関連情報を取得する際には画像コードを読み取って、その画像コードに含まれるアドレス情報に基づいて図面情報管理サーバにアクセスすれば良く、例えばアドレス情報を入力する等の作業を必要としないので、簡単な操作によってミスなくアドレス情報を指定し、図面関連情報を取得できる。さらに、加工用図面に表示された画像コードにアドレス情報とともに認証情報が含まれるので、正規の加工用図面に表示された正規の画像コードを用いてのみ、図面関連情報を取得することが可能になり、その一方で、アドレス情報や認証情報を入力する作業負担が非常に軽くて済む。
【０００７】
上記構成において、前記図面関連情報は、前記加工用図面に記載された製品を製造する製造装置によって使用される情報であり、前記図面情報取得装置は、前記広域ネットワークを介して前記図面情報管理サーバから取得した前記図面関連情報を前記製造装置に出力するものとしてもよい。
この場合、図面情報取得装置が広域ネットワークを介して取得した図面関連情報が製造装置に出力されるので、例えば図面関連情報に相当するデータを手作業で入力する場合等に比べて、正確に、かつ速やかに図面関連情報を製造装置に入力できる。
【０００８】
また、上記構成において、前記図面情報管理サーバは、前記図面情報取得装置により前記図面関連情報が取得された場合に、その取得された前記図面関連情報を消去するものとしてもよい。
この場合、図面情報管理サーバにおいて、いったん図面情報取得装置により取得された図面関連情報は消去されるので、図面関連情報が既に取得されたか否かを容易に知ることができ、また、図面情報管理サーバにおける記憶容量を節約できる。
【０００９】
さらに、上記構成において、前記図面情報登録装置は、前記加工用図面を印刷出力する印刷装置によって、前記画像コードを、前記加工用図面の印刷時に前記製品の図とともに印刷させるものとしてもよい。
この場合、加工用図面に製品の図を印刷する際に、その加工用図面に関連する図面関連情報を取得するためのアドレス情報を含む画像コードが印刷されるので、一つの用紙に製品の図と画像コードとが印刷された加工用図面を、容易に作成できる。従って、加工用図面と画像コードとの対応を確認する作業が必要ないという利点がある。
【００１０】
また、本発明は、広域ネットワークを介して相互に接続された図面情報管理サーバと、図面情報登録装置と、図面情報取得装置と、を備えた図面情報管理システムにより実行され、前記図面情報管理サーバによって、製品の加工用図面に関連する図面関連情報を前記広域ネットワークを介して取得可能に格納し、前記図面情報登録装置によって、前記図面関連情報と、この前記図面関連情報を一意に指定するアドレス情報と、前記図面関連情報を取得する際の認証に用いられる認証情報とを、前記広域ネットワークを介して前記図面情報管理サーバに送信して格納させるとともに、このアドレス情報及び認証情報を含む画像コードを生成し、生成した画像コードを、前記加工用図面に表示可能に出力し、前記図面情報取得装置によって、前記加工用図面に表示された前記画像コードを読み取り、この前記画像コードに含まれるアドレス情報及び認証情報に基づいて前記広域ネットワークを介して前記図面情報管理サーバにアクセスすることによって、前記広域ネットワークを介して前記図面関連情報を取得すること、を特徴とする図面情報管理方法を提供する。
【００１１】
この方法によれば、加工用図面に関連する図面関連情報が広域ネットワークを介して取得可能に図面情報管理サーバに格納され、この図面関連情報を取得するためのアドレス情報と認証情報とを含む画像コードが加工用図面に表示され、この加工用図面に表示された画像コードを読み取ることにより、画像コードに含まれるアドレス情報及び認証情報に基づいて、図面情報取得装置により図面関連情報を取得することができる。これにより、広域ネットワークに接続可能な場所であれば、場所を問わず、様々な相手との間で加工用図面に関連する情報を授受することができる。特に、図面関連情報を取得する際には画像コードを読み取って、その画像コードに含まれるアドレス情報に基づいて図面情報管理サーバにアクセスすれば良く、例えばアドレス情報を入力する等の作業を必要としないので、簡単な操作によってミスなくアドレス情報を指定し、図面関連情報を取得できる。さらに、加工用図面に表示された画像コードにアドレス情報とともに認証情報が含まれるので、正規の加工用図面に表示された正規の画像コードを用いてのみ、図面関連情報を取得することが可能になり、その一方で、アドレス情報や認証情報を入力する作業負担が非常に軽くて済む。
【発明の効果】
【００１２】
本発明によれば、加工用図面に関連する情報を、広域ネットワークを介して授受することができる。特に、図面関連情報を取得する際には画像コードを読み取って、その画像コードに含まれるアドレス情報及び認証情報に基づいて図面情報管理サーバにアクセスすれば良いので、広域ネットワークに接続可能であれば、場所を問わず様々な相手との間で、簡単な操作によってミスなく図面関連情報を授受できる。
さらに、加工用図面に表示された画像コードに、アドレス情報とともに認証情報が含まれており、この認証情報に基づいて、図面情報管理サーバから図面関連情報を取得する際に認証が行われるので、正規の加工用図面に表示された正規の画像コードを用いてのみ、図面関連情報を取得することが可能になり、その一方で、アドレス情報や認証情報を入力する作業負担が非常に軽くて済む。
また、図面情報取得装置が広域ネットワークを介して取得した図面関連情報が製造装置に出力されるので、正確に、かつ速やかに図面関連情報を製造装置に入力できる。
さらに、図面情報管理サーバにおいて、いったん図面情報取得装置により取得された図面関連情報は消去されるので、図面関連情報が既に取得されたか否かを容易に知ることができ、また、図面情報管理サーバにおける記憶容量を節約できる。
さらにまた、加工用図面に製品の図を印刷する際に、その加工用図面に関連する図面関連情報を取得するためのアドレス情報を含む画像コードが印刷されるので、一つの用紙に製品の図と画像コードとが印刷された加工用図面を容易に作成できる。従って、加工用図面と画像コードとの対応を確認する作業が必要ないという利点がある。
【発明を実施するための最良の形態】
【００１３】
［第１の実施形態］
図１は、本発明を適用した実施形態に係る図面情報管理システム１の概略構成を示す図である。
図１に示す図面情報管理システム１は、図面情報管理データベース２１を備えた図面情報管理サーバ２０と、図面情報登録装置３０と、図面情報取得装置４０とをネットワーク１０を介して相互に通信可能に接続して構成される。この図面情報管理システム１は、機械部品等を製造するための図面に関連する図面関連情報を、図面情報管理サーバ２０を用いて授受するシステムである。本第１の実施形態及び後述する他の実施形態では、図面関連情報の一例として、ＮＣ（Numerical Control）加工に利用されるＮＣデータを授受する場合を例に挙げて説明する。ＮＣデータとしては、例えば、製品としてのカムの加工用図面５０に対応するカムプロフィールデータ等が挙げられる。
【００１４】
ここで、広域ネットワークとしてのネットワーク１０は、専用線、公衆電話回線、衛星通信回線、移動体通信回線等の各種通信回線や図示しない各種サーバ装置等を含んで構成され、各種データを送受信可能な通信網であり、その具体的態様は特に限定されない。ネットワーク１０と、ネットワーク１０に接続される各装置との間には、通信事業者が提供するサーバやファイアーウォール、ゲートウェイ装置等の各種機器が介在する構成としても良いが、ここでは図示しない。
また、図面情報管理サーバ２０、図面情報登録装置３０及び図面情報取得装置４０は、電話事業者が提供する公衆回線網や通信事業者が提供するデータ通信回線等、或いは、携帯電話事業者が提供する携帯電話回線網を介して、ネットワーク１０に接続される。
【００１５】
図面情報管理サーバ２０は、ネットワーク１０を介して図面情報登録装置３０から送信されるＮＣデータを格納する図面情報管理データベース２１を有する。図面情報管理データベース２１には、図面情報登録装置３０から送信されたＮＣデータが、個別のアドレスに対応づけて格納されている。図面情報管理データベース２１に格納されるＮＣデータに対応するアドレスは、図面情報登録装置３０が、そのＮＣデータとともに送信して指定したアドレスである。また、図面情報管理データベース２１は、ＮＣデータに対応づけてデータアクセスパスワードを格納する。このデータアクセスパスワードは、各々のＮＣデータを送信した図面情報登録装置３０が、そのＮＣデータとともに送信したものである。
図面情報管理サーバ２０は、ネットワーク１０を介して図面情報取得装置４０からアクセスされ、このアクセス時に図面情報管理データベース２１内の特定のＮＣデータに対応するアドレスとデータアクセスパスワードが送信された場合は、指定されたアドレスに対応するＮＣデータと、対応するデータアクセスパスワードとを図面情報管理データベース２１から読みだして、データアクセスパスワードによる認証に成功した場合は、ＮＣデータを図面情報取得装置４０に送信する。
【００１６】
ここで、図面情報管理サーバ２０はウェブサーバとして機能し、図面情報登録装置３０又は図面情報取得装置４０からのアクセスに応じてウェブページのデータを送信し、図面情報登録装置３０及び図面情報取得装置４０は、ウェブブラウザの機能により、このウェブページを表示し、このウェブページにおいて入力された情報やウェブページにおける操作に対応する情報を、図面情報管理サーバ２０に送信する。図面情報管理サーバ２０と、図面情報登録装置３０及び図面情報取得装置４０との間では、ネットワーク１０において利用可能な各種のプロトコルに準じてデータが送受信され、その具体的な形式等は特に制限されない。
また、図面情報管理サーバ２０は、図面情報登録装置３０及び図面情報取得装置４０からのアクセスを受けた場合に認証を行う。この認証は、図面情報登録装置３０或いは図面情報取得装置４０から認証情報としての接続認証コードが送信され、この接続認証コードが正規の接続認証コードであるか否かを判定することによって行われ、この認証に成功した場合にのみ、その後の処理、すなわち図面情報登録装置３０から図面情報管理サーバ２０へのＮＣデータの送信、及び、図面情報管理サーバ２０から図面情報取得装置４０へのＮＣデータの送信が可能となる。
【００１７】
図面情報登録装置３０には、製品の設計図面を作成するＣＡＤ（Computer Aided Design）装置３１が接続され、さらにＣＡＤ装置３１には加工用図面５０を印刷出力する印刷装置３２が接続されている。
図面情報登録装置３０は、図示しない制御部の制御によって動作し、ＣＡＤ装置３１を介して印刷装置３２を制御することで、製品図５１が記載された加工用図面５０を印刷出力させるとともに、印刷される加工用図面５０に関連するＮＣデータをＣＡＤ装置３１から取得し、このＮＣデータを図面情報管理サーバ２０に送信して、格納させる装置である。図面情報登録装置３０は、図面情報管理サーバ２０にＮＣデータを送信する際に接続認証コードを送信して認証を受ける。この認証に成功した場合、図面情報登録装置３０は、ＮＣデータを図面情報管理サーバ２０に送信する際に、このＮＣデータに一意に対応するアドレスと、このＮＣデータに対応するデータアクセスパスワードとを発行して、ＮＣデータとともに送信する。このアドレスは、送信したＮＣデータが図面情報管理データベース２１に格納された場合に、このＮＣデータを指定して取得するためのアドレスである。また、データアクセスパスワードは、ＮＣデータを図面情報管理サーバ２０から取得する際の認証に用いられるパスワードである。
さらに、図面情報登録装置３０は、発行したアドレスを、データアクセスパスワードとともに画像コード５５にして、そのアドレスに対応するＮＣデータに関連する加工用図面５０を印刷する際に、製品図５１とともに加工用図面５０に印刷させる。
【００１８】
図面情報登録装置３０は、上記制御部に加え、図面情報管理サーバ２０にＮＣデータを格納させる際に指定するアドレスを生成するアドレス発行部３４、ＣＡＤ装置３１からＮＣデータを取得するＮＣデータ取得部３５、及び、画像コード５５を生成する画像コード生成部３６を備えている。
ＮＣデータ取得部３５は、ＣＡＤ装置３１に対してＮＣデータを要求し、この要求に応答してＮＣデータが送信された場合に、このＮＣデータを受信して保存する。
アドレス発行部３４は、予め設定されたルールに従って、ＮＣデータ取得部３５により新たなＮＣデータが取得される毎に、そのＮＣデータに対応するアドレス及びデータアクセスパスワードを発行する。アドレス発行部３４が発行するアドレスは、例えば、図面情報管理サーバ２０が有する特定のファイルを指定するＵＲＬ（Uniform Resource Locator）の形式である。
【００１９】
画像コード生成部３６は、ＮＣデータ取得部３５が取得したＮＣデータに対してアドレス発行部３４により発行されたアドレス及びデータアクセスパスワードを含む画像コード５５を生成する。アドレス発行部３４が発行する画像コード５５は、一方向に並ぶ黒線と空白により情報を表示するバーコード（JANコード、EAN、UPC、ITFコード、CODE39、CODE128、NW-7等）、及び、水平方向と垂直方向に並ぶ黒領域と空白領域とにより情報を表示する二次元コード（ＱＲコード（登録商標）、PDF417、CODE49等）のどちらであってもよいが、二次元コードを使用した場合、情報量が多く上記アドレスの文字数等が制限されない等の利点があり、好ましい。
【００２０】
ＣＡＤ装置３１は、図面情報登録装置３０からの要求に応じて、加工用図面５０に関連する図面関連情報を図面情報登録装置３０に出力する。
ここでＣＡＤ装置３１が図面情報登録装置３０に出力可能なデータには、加工用図面５０自体のＣＡＤデータ、加工用図面５０に記載される製品を製造するためのＣＡＭ（Computer Aided Manufacturing）データ、加工用図面５０に記載される製品のスペック、当該製品の部品番号や製品番号等があるが、本第１の実施形態及び以下に説明する他の実施形態では、図面関連情報としてＮＣデータを出力する。
また、ＣＡＤ装置３１は、図面情報登録装置３０の制御に従って印刷装置３２を動作させ、加工用図面５０を印刷出力させる。この際、ＣＡＤ装置３１は、図面情報登録装置３０から入力される画像コード５５を、製品図５１とともに印刷装置３２によって印刷させる機能を有する。
印刷装置３２は、所定の用紙に加工用図面５０を印刷出力するプリンタ或いはプロッタである。
【００２１】
図２は、印刷装置３２により出力される加工用図面５０の構成例を示す図である。
この図２に例示するように、加工用図面５０のほぼ全体を占める領域には、製造・加工される製品の製品図５１が記載されており、加工用図面５０の右下隅には、製品名や製品番号等の情報が記載される図面情報表示欄５２が設けられている。そして、図面情報表示欄５２の上にはコード表示欄５４が設けられ、ここに画像コード５５が印刷されている。
なお、図面情報管理システム１においては、画像コード５５が加工用図面５０に表示されていればよいので、例えば、印刷装置３２又は他のプリンタによって、シールラベル用紙に画像コード５５を印刷したものを出力し、このシールラベルがコード表示欄５４に貼付されるものとしてもよいが、本第１の実施形態及び後述する他の実施形態では、印刷装置３２によって製品図５１とともに印刷されるものとする。
【００２２】
図１に戻り、図面情報取得装置４０は、図面情報取得装置４０の各部を制御する制御部（図示略）を備え、この制御部の機能によって後述する各種機能を実現する。
図面情報取得装置４０は、加工用図面５０に印刷された画像コード５５を読み取る画像コード読取装置４１に接続され、この画像コード読取装置４１により読み取った画像コード５５に含まれていたアドレス及びデータアクセスパスワードに基づいて、ネットワーク１０を介して図面情報管理サーバ２０にアクセスし、図面情報管理サーバ２０からＮＣデータを取得する装置である。
画像コード読取装置４１は、例えばＣＣＤ素子による撮像又はレーザー光のスキャンを行うことによって画像コード５５を読み取るペン型、定置式、或いは手持ち式の装置である。画像コード読取装置４１は、画像コード５５を読み取って、画像コード５５としてコード化されていた文字列等の情報を図面情報取得装置４０に出力する。
【００２３】
また、図面情報取得装置４０には、制御ケーブル４２を介してＮＣ加工装置４３が接続されている。ＮＣ加工装置４３は、数値制御による加工を行って製品を製造する装置である。図面情報取得装置４０は、ＮＣデータ出力部４５を備え、このＮＣデータ出力部４５の機能によって、図面情報管理サーバ２０から取得したＮＣデータをＮＣ加工装置４３に出力する。ＮＣ加工装置４３は、制御ケーブル４２を介して入力されたＮＣデータに基づいて、製品図５１（図２）に記載された製品を加工する。
【００２４】
図３は、図面情報管理システム１により表示される画面の構成例を示す図であり、図３Ａは図面情報登録装置３０が表示する画面の構成例を示し、図３Ｂは図面情報取得装置４０が表示する画面の構成例を示す図である。
図３Ａに示す図面データ登録画面３７は、図面情報登録装置３０をオペレータが操作して、ＣＡＤ装置３１からのＮＣデータの取得及び加工用図面５０の印刷出力を実行させる際に、図面情報登録装置３０が備える表示装置（図示略）に表示される。
この図面データ登録画面３７には、アドレス表示部３７Ａ、アクセスパスワード表示部３７Ｂ、及び接続認証コード入力部３７Ｃが配置される。アドレス表示部３７Ａには、アドレス発行部３４が生成したアドレスが表示され、アクセスパスワード表示部３７Ｂには、データアクセスパスワードが表示される。これらアドレス及びデータアクセスパスワードは図面情報登録装置３０において自動的に生成されるものであり、オペレータが入力する必要はない。
これに対し、接続認証コード入力部３７Ｃは、図面情報登録装置３０が図面情報管理サーバ２０にアクセスする際に図面情報管理サーバ２０による認証を受けるための接続認証コードを、オペレータが入力するための入力ボックスである。この接続認証コードは、予め、図面情報管理システム１において共通して設定された符号又は個々の図面情報登録装置３０及び図面情報取得装置４０に対して発行された符号である。
【００２５】
また、図面データ登録画面３７には、サーバ接続指示ボタン３７Ｄ、出図指示ボタン３７Ｅ、及びＮＣデータ出力指示ボタン３７Ｆの各操作ボタンが配置されている。
ＮＣデータ出力指示ボタン３７Ｆは、ＣＡＤ装置３１に対してＮＣデータの出力を指示するためのボタンである。ＮＣデータ出力指示ボタン３７Ｆの操作により、図面情報登録装置３０は、ＮＣデータ取得部３５の機能によってＣＡＤ装置３１からＮＣデータを取得する。
サーバ接続指示ボタン３７Ｄは、ＣＡＤ装置３１から入力されたＮＣデータと、アドレス表示部３７Ａに表示されたアドレスと、アクセスパスワード表示部３７Ｂに表示されたデータアクセスパスワードとを、図面情報管理サーバ２０に送信する動作を指示するためのボタンである。このサーバ接続指示ボタン３７Ｄの操作により、図面情報登録装置３０は、接続認証コード入力部３７Ｃに入力されたデータアクセスパスワードに基づいて図面情報管理サーバ２０にアクセスし、ＮＣデータとデータアクセスパスワードとを、アドレスとともに送信する。
【００２６】
出図指示ボタン３７Ｅは、加工用図面５０の印刷実行を指示するためのボタンである。この出図指示ボタン３７Ｅの操作により、図面情報登録装置３０は、図面情報登録装置３０に送信したアドレス及びデータアクセスパスワードを含む画像コード５５を画像コード生成部３６の機能により生成し、ＣＡＤ装置３１を制御して、生成した画像コード５５と製品図５１とを含む加工用図面５０を、印刷装置３２により印刷出力させる。
【００２７】
図３Ｂに示す図面データ取得画面４７は、図面情報取得装置４０をオペレータが操作して、画像コード５５を読み取って図面情報管理サーバ２０からＮＣデータを取得する際に、図面情報取得装置４０が備える表示装置（図示略）に表示される。
図面データ取得画面４７には、アドレス表示部４７Ａ、アクセスパスワード表示部４７Ｂ、及び接続認証コード入力部４７Ｃが配置される。
アドレス表示部４７Ａには、画像コード読取装置４１が画像コード５５を読み取って得られたアドレスが表示され、アクセスパスワード表示部４７Ｂには、同様に画像コード読取装置４１が画像コード５５を読み取ることで得られたデータアクセスパスワードが表示される。なお、データアクセスパスワードは、図３Ｂに示すように伏せ字で表示されてもよい。
また、接続認証コード入力部４７Ｃは、図面情報取得装置４０が図面情報管理サーバ２０にアクセスする際に図面情報管理サーバ２０による認証を受けるための接続認証コードを、オペレータが入力するための入力ボックスである。この接続認証コードは、オペレータによって入力される。
【００２８】
また、図面データ取得画面４７には、サーバ接続指示ボタン４７Ｄ、ＮＣデータ読出指示ボタン４７Ｅ、及び、ＮＣデータ送出指示ボタン４７Ｆの各操作ボタンが配置されている。
サーバ接続指示ボタン４７Ｄは、図面情報管理サーバ２０へのアクセスを指示するためのボタンである。このサーバ接続指示ボタン４７Ｄが操作されると、図面情報取得装置４０は、接続認証コード入力部４７Ｃに入力された接続認証コードに基づいて図面情報管理サーバ２０にアクセスし、認証を受ける。
ＮＣデータ読出指示ボタン４７Ｅは、図面情報管理サーバ２０からのＮＣデータの取得を指示するためのボタンである。サーバ接続指示ボタン４７Ｄに続いてＮＣデータ読出指示ボタン４７Ｅが操作されると、図面情報取得装置４０は、アドレス表示部４７Ａ及びサーバ接続指示ボタン４７Ｄの情報に基づいて図面情報管理サーバ２０からＮＣデータを取得する。
ＮＣデータ送出指示ボタン４７Ｆは、図面情報管理サーバ２０から取得したＮＣデータを、ＮＣ加工装置４３に出力するよう指示するボタンであり、このＮＣデータ送出指示ボタン４７Ｆの操作により、図面情報取得装置４０は、ＮＣデータ出力部４５の機能によってＮＣ加工装置４３との間で通信を行い、ＮＣデータを出力する。
【００２９】
このように、図面情報管理システム１は、ＣＡＤ装置３１により作成された製品の製品図５１に関連するＮＣデータを、図面情報管理サーバ２０によって格納し、ネットワーク１０を介して図面情報取得装置４０により取得可能としており、これによってＮＣデータの受け渡しを様々な場所で行うことができる。
以下、図面情報管理システム１の動作についてフローチャートを参照して詳細に説明する。
【００３０】
図４は、図面情報管理システム１の動作を示すフローチャートであり、特に、図面情報登録装置３０によりＮＣデータを図面情報管理サーバ２０に格納させる際の動作を示す。図４Ａは図面情報登録装置３０の動作を示し、図４Ｂは図面情報管理サーバ２０の動作を示す。
図面情報登録装置３０は、まず、図面データ登録画面３７（図３Ａ）が表示された状態で、アドレス発行部３４の機能によりＮＣデータに対応するアドレスと、データアクセスパスワードとを発行する（ステップＳ１１）。
続いて、図面データ登録画面３７の接続認証コード入力部３７Ｃ（図３Ａ）に、図面情報管理サーバ２０用の接続認証コードが入力され（ステップＳ１２）、ＮＣデータ出力指示ボタン３７Ｆ（図３Ａ）の操作に応じて、ＮＣデータ取得部３５の機能によりＣＡＤ装置３１からＮＣデータを取得すると（ステップＳ１３）、図面情報登録装置３０は、接続認証コードとともに、発行したアドレスとデータアクセスパスワード、及びＮＣデータを、ネットワーク１０を介して図面情報管理サーバ２０へ送信する（ステップＳ１４）。
【００３１】
これに対し、図面情報管理サーバ２０は、図面情報登録装置３０から送信された接続認証コード、アドレス、データアクセスパスワード、及びＮＣデータを受信し（ステップＳ２１）、受信した接続認証コードに基づく認証を行う（ステップＳ２２）。
図面情報登録装置３０が送信した接続認証コードが正規の接続認証コードであり、認証に成功した場合（ステップＳ２２；Ｙｅｓ）、図面情報管理サーバ２０は、受信したＮＣデータを、指定されたアドレスに対応する記憶領域に、データアクセスパスワードとともに格納し（ステップＳ２３）、格納が完了した旨の応答を図面情報登録装置３０へ送信する（ステップＳ２４）。
【００３２】
図面情報登録装置３０は、図面情報管理サーバ２０から送信された、ＮＣデータの格納が完了した旨の応答を受信し（ステップＳ１５）、画像コード生成部３６の機能によって、ステップＳ１１で発行したアドレスとデータアクセスパスワードとを含む画像コードを生成し（ステップＳ１６）、この画像コード５５と製品図５１とが記載された加工用図面５０を、印刷装置３２によって印刷出力させ（ステップＳ１７）、本処理を終了する。
また、図面情報登録装置３０が送信した接続認証コードが正規の接続認証コードでなく、認証に失敗した場合（ステップＳ２２；Ｎｏ）、図面情報管理サーバ２０は、エラーが生じた旨の応答を図面情報登録装置３０へ送信する（ステップＳ２５）。図面情報登録装置３０は、このエラーの応答を受信した場合、表示画面（図示略）にエラーメッセージを表示する。
【００３３】
図５は、図面情報管理システム１の動作を示すフローチャートであり、特に、図面情報取得装置４０によりＮＣデータを図面情報管理サーバ２０から取得する際の動作を示す。図５Ａは図面情報取得装置４０の動作を示し、図５Ｂは図面情報管理サーバ２０の動作を示す。
図面情報取得装置４０は、画像コード読取装置４１によって加工用図面５０に記載された画像コード５５を読み取り、この加工用図面５０に対応するＮＣデータのアドレスとデータアクセスパスワードとを取得する（ステップＳ３１）。続いて図面情報取得装置４０は、図面データ取得画面４７（図３Ｂ）を表示画面（図示略）に表示し、ここで接続認証コード入力部４７Ｃに接続認証コードが入力されると、図面情報管理サーバ２０にアクセスして、入力された接続認証コードを図面情報管理サーバ２０に送信する（ステップＳ３２）。
【００３４】
図面情報管理サーバ２０は、図面情報取得装置４０からのアクセスを検知すると、図面情報取得装置４０から送信された接続認証コードを受信し（ステップＳ４１）、認証を行う（ステップＳ４２）。ここで、受信した接続認証コードが正規の接続認証コードであり、認証に成功した場合（ステップＳ４２；Ｙｅｓ）、図面情報管理サーバ２０は、図面情報取得装置４０に対して認証成功の旨を示す応答を送信する（ステップＳ４３）。
一方、認証に失敗した場合（ステップＳ４２；Ｎｏ）、図面情報管理サーバ２０は、エラーが生じた旨の応答を図面情報取得装置４０へ送信する（ステップＳ４７）。図面情報取得装置４０は、このエラーの応答を受信した場合、例えば、表示画面（図示略）にエラーメッセージを表示する。
【００３５】
図面情報管理サーバ２０から認証に成功した旨の応答が送信された場合、図面情報取得装置４０は、この応答を受信し（ステップＳ３３）、ステップＳ３１で画像コード５５を読み取って取得したアドレスに基づいて、図面情報管理サーバ２０に対してＮＣデータを要求するとともに、読み取ったデータアクセスパスワードを図面情報管理サーバ２０に送信する（ステップＳ３４）。
【００３６】
図面情報管理サーバ２０は、図面情報取得装置４０から送信されたアドレスとデータアクセスパスワードとを受信し（ステップＳ４４）、受信したデータアクセスパスワードに基づいて認証を行う（ステップＳ４５）。
ここで、要求されたＮＣデータに対応づけて図面情報管理データベース２１に格納されていたデータアクセスパスワードと、図面情報取得装置４０が送信したデータアクセスパスワードとが一致し、認証に成功した場合（ステップＳ４５；Ｙｅｓ）、図面情報管理サーバ２０は、要求されたＮＣデータを、ネットワーク１０を介して図面情報取得装置４０に送信し、本処理を終了する。
また、データアクセスパスワードに基づく認証に失敗した場合（ステップＳ４５；Ｎｏ）、図面情報管理サーバ２０は、上記のステップＳ４７に移行する。
【００３７】
図面情報取得装置４０は、図面情報管理サーバ２０からＮＣデータが送信されると、このＮＣデータを受信し（ステップＳ３５）、制御ケーブル４２を介してＮＣ加工装置４３に出力する。
【００３８】
以上のように、本発明を適用した第１の実施形態に係る図面情報管理システム１によれば、加工用図面５０に関連するＮＣデータがネットワーク１０を介して取得可能に図面情報管理サーバ２０の図面情報管理データベース２１に格納され、このＮＣデータを取得するためのアドレスとデータアクセスパスワードとを含む画像コード５５が加工用図面５０に表示され、この加工用図面５０に表示された画像コード５５を読み取ることにより、画像コード５５に含まれるアドレス及びデータアクセスパスワードに基づいて、図面情報取得装置４０によりＮＣデータを取得することができる。これにより、ＮＣデータ等の加工用図面５０に関連する情報を、ネットワーク１０に接続可能であれば、場所を問わず様々な相手との間で、ネットワーク１０を介して授受することができる。特に、ＮＣデータを取得する際には画像コード５５を読み取って、その画像コード５５に含まれるアドレスに基づいて図面情報管理サーバ２０にアクセスすれば良く、例えばアドレスを入力する等の作業を必要としないので、簡単な操作によってミスなくアドレスとデータアクセスパスワードとを指定して、ＮＣデータを取得できる。さらに、加工用図面５０に表示された画像コード５５にアドレスとともにデータアクセスパスワードが含まれるので、正規の加工用図面５０に表示された正規の画像コード５５を用いてのみ、ＮＣデータを取得することが可能になり、その一方で、アドレスやデータアクセスパスワードを入力する作業負担が非常に軽くて済む。
【００３９】
また、図面情報取得装置４０にはＮＣ加工装置４３が接続され、図面情報取得装置４０がネットワーク１０を介して取得したＮＣデータがＮＣ加工装置４３に出力されるので、例えばＮＣデータに相当するデータを手作業で入力する場合等に比べて、正確に、かつ速やかにＮＣデータをＮＣ加工装置４３に入力できる。
【００４０】
さらに、加工用図面５０に製品図５１を印刷する際に、その加工用図面５０に関連するＮＣデータを取得するためのアドレスを含む画像コード５５が印刷されるので、一つの用紙に製品図５１と画像コード５５とが印刷された加工用図面５０を、容易に作成できる。従って、加工用図面５０と画像コード５５との対応を確認する作業が必要ないという利点がある。
【００４１】
［第２の実施形態］
図６は、本発明を適用した第２の実施形態に係る図面情報管理システム１の動作を示すフローチャートであり、特に、図面情報取得装置４０によりＮＣデータを図面情報管理サーバ２０から取得する際の動作を示す。図６Ａは図面情報取得装置４０の動作を示し、図６Ｂは図面情報管理サーバ２０の動作を示す。
本第２の実施形態において、上記第１の実施形態と同様に構成される各部については、同符号を付して説明を省略する。
【００４２】
本第２の実施形態では、上記第１の実施形態において図５Ａ及び図５Ｂを参照して説明した動作において、図面情報管理サーバ２０が、ＮＣデータを消去する構成を備えている。
すなわち、図面情報管理サーバ２０は、ステップＳ４６において、図面情報取得装置４０から送信されたアドレスにより指定されるＮＣデータを、ネットワーク１０を介して図面情報取得装置４０に送信し、その後、送信したＮＣデータ及び対応するデータアクセスパスワードを、図面情報管理データベース２１から消去して（ステップＳ４８）、本処理を終了する。
【００４３】
この第２の実施形態によれば、図面情報管理サーバ２０において、図面情報取得装置４０によりＮＣデータが取得された場合に、その取得されたＮＣデータが消去されるので、いったん図面情報取得装置４０により取得されたＮＣデータを再び取得することができない。このため、ＮＣデータが既に取得されたか否かを容易に知ることができる。
また、ＮＣデータの消去を、図面情報取得装置４０に対してＮＣデータを送信した後に行うので、必要なＮＣデータを消去してしまうことがないという利点がある。
【００４４】
［第３の実施形態］
図７は、本発明を適用した第３の実施形態に係る図面情報管理システム１の動作を示すフローチャートであり、特に、図面情報登録装置３０によりＮＣデータを図面情報管理サーバ２０に格納させる際の動作を示す。図７Ａは図面情報登録装置３０の動作を示し、図７Ｂは図面情報管理サーバ２０の動作を示す。
本第３の実施形態において、上記第１の実施形態と同様に構成される各部については、同符号を付して説明を省略する。
【００４５】
本第３の実施形態では、上記第１の実施形態において図４Ａ及び図４Ｂを参照して説明した動作において、図面情報管理サーバ２０から図面情報取得装置４０を取得できる日時が決められる。
【００４６】
図面情報登録装置３０は、まず、図面データ登録画面３７が表示された状態で、アドレス発行部３４の機能によりＮＣデータに対応するアドレスと、データアクセスパスワードとを発行する（ステップＳ５１）。
ここで、図面情報登録装置３０においては、オペレータの入力操作、或いは予め設定されたデータに従って、ＮＣデータの取得が可能になる日時が指定される（ステップＳ５２）。ここで指定される日時は、例えば、日付と時間帯とを含み、或いは、時間帯のみを含む。
【００４７】
続いて、図面データ登録画面３７の接続認証コード入力部３７Ｃに、図面情報管理サーバ２０用の接続認証コードが入力され（ステップＳ５３）、ＮＣデータ出力指示ボタン３７Ｆの操作に応じて、ＮＣデータ取得部３５の機能によりＣＡＤ装置３１からＮＣデータを取得すると（ステップＳ５４）、図面情報登録装置３０は、接続認証コードとともに、発行したアドレスとデータアクセスパスワード、ＮＣデータを取得可能とする日時、及びＮＣデータを、ネットワーク１０を介して図面情報管理サーバ２０へ送信する（ステップＳ５５）。
【００４８】
図面情報管理サーバ２０は、図面情報登録装置３０から送信された接続認証コード、アドレス、データアクセスパスワード、ＮＣデータを受信可能とする日時、及びＮＣデータを受信し（ステップＳ６１）、受信した接続認証コードに基づく認証を行う（ステップＳ６２）。
図面情報登録装置３０が送信した接続認証コードが正規の接続認証コードであり、認証に成功した場合（ステップＳ６２；Ｙｅｓ）、図面情報管理サーバ２０は、受信したＮＣデータを、指定されたアドレスに対応する記憶領域に、データアクセスパスワードとともに格納し（ステップＳ６３）、格納が完了した旨の応答を図面情報登録装置３０へ送信する（ステップＳ６４）。
【００４９】
図面情報登録装置３０は、図面情報管理サーバ２０から送信された、ＮＣデータの格納が完了した旨の応答を受信し（ステップＳ５６）、画像コード生成部３６の機能によって、ステップＳ５１で発行したアドレスとデータアクセスパスワードとを含む画像コードを生成し（ステップＳ５７）、この画像コード５５と製品図５１が記載された加工用図面５０を、印刷装置３２によって印刷出力させ（ステップＳ５８）、本処理を終了する。
また、図面情報登録装置３０が送信した接続認証コードが正規の接続認証コードでなく、認証に失敗した場合（ステップＳ６２；Ｎｏ）、図面情報管理サーバ２０は、エラーが生じた旨の応答を図面情報登録装置３０へ送信する（ステップＳ６５）。図面情報登録装置３０は、このエラーの応答を受信した場合、表示画面（図示略）にエラーメッセージを表示する。
【００５０】
このように図面情報管理サーバ２０からＮＣデータを取得する際、図面情報取得装置４０は、上記の第１及び第２の実施形態と同様、加工用図面５０の画像コード５５からアドレスとデータアクセスパスワードとを読み取って、図面情報管理サーバ２０にアクセスし、図面情報管理サーバ２０において接続認証コードによる認証を受ける。
ここで、図面情報管理サーバ２０は、接続認証コードによる認証に成功した場合に、図面情報取得装置４０から要求されたＮＣデータを取得可能な日時または時間帯と、その時点における現在時刻とを比較する。そして、現在時刻が、要求されたＮＣデータを取得可能な日時または時間帯に適合する場合は、ＮＣデータを図面情報取得装置４０に送信し、現在時刻が要求されたＮＣデータを取得可能な日時または時間帯に適合しない場合は、時間が不適合である旨を示す応答を図面情報取得装置４０に送信する。
【００５１】
本第３の実施形態によれば、図面情報取得装置４０によって画像コード５５に基づいてＮＣデータを取得しようとする場合、正規の画像コード５５に含まれるアドレスとデータアクセスパスワード、及び正規の接続認証コードに加えて、そのＮＣデータを取得可能な日時または時間帯に、図面情報管理サーバ２０にアクセスする必要がある。すなわち、ＮＣデータを取得可能な時間帯を知らない他者や、指定された時間帯から大幅にずれた時期にＮＣデータを取得できない。つまり、パスワード等の複雑な情報の数を増やすことなく、さらに一段階の認証処理を経ないとＮＣデータを取得できないようにしているので、秘匿性を向上させることができる。
【００５２】
また、図面情報管理サーバ２０は、例えば図面情報登録装置３０から送信されたＮＣデータ及びデータアクセスパスワードを図面情報管理データベース２１に格納してから、設定された時間内のみ、図面情報取得装置４０によりＮＣデータを取得可能としてもよい。この場合、ＮＣデータ及びデータアクセスパスワードを格納したときに計時を開始し、このときから、例えば２時間以内に、図面情報取得装置４０が画像コード５５のアドレス及びデータアクセスパスワードに基づいて図面情報管理サーバ２０にアクセスした場合にのみ、ＮＣデータを取得できる。この場合も上記と同様の効果が得られ、さらに、ＮＣデータを取得可能な時間帯の指定が簡単で済むという利点がある。また、図面情報管理データベース２１に格納されたＮＣデータの取得可能な日時または時間帯が過ぎた後に、再び、図面情報登録装置３０から設定を要求して、ＮＣデータに対応づけて図面情報管理データベース２１に格納された日時または時間帯に関する情報を更新し、このＮＣデータを、新たに取得可能としてもよい。この場合、図面情報登録装置３０による管理のもとに、一つのＮＣデータを繰り返し使用できる。
【００５３】
なお、上記第１から第３の各実施形態に係る図面情報管理システム１を構成する各装置は、図１に示した形態に限定されるものではない。例えば、図面情報登録装置３０は、ネットワーク１０を介して各種情報を送受信する機能に加え、ＣＡＤ装置３１及び印刷装置３２を制御するものであり、例えばパーソナルコンピュータによって、上記機能に相当するソフトウェアを実行することで実現可能である。また、ＣＡＤ装置３１がＣＡＤソフトウェアを実行するパーソナルコンピュータにより実現される場合に、図面情報登録装置３０の機能とＣＡＤ装置３１の機能とを一つのコンピュータにより実現する構成としてもよい。図面情報取得装置４０も同様に、ネットワーク１０を介して各種情報を送受信する機能に加え、画像コード読取装置４１を制御し、ＮＣ加工装置４３との間で各種情報を入出力するものであり、例えばパーソナルコンピュータによって、上記機能に相当するソフトウェアを実行することで実現可能である。また、画像コード読取装置４１は、パーソナルコンピュータ、ＰＤＡ或いは携帯型電話機が備えるカメラと、このカメラにより撮影された画像を解析するソフトウェアとによって実現可能である。従って、図面情報取得装置４０及び画像コード読取装置４１は、その機能を一体に備えたコンピュータ、ＰＤＡ又は携帯電話機により実現可能である。その他、ネットワーク１０と図面情報登録装置３０及び図面情報取得装置４０との接続態様も任意であり、無線通信回線を介して接続されるものであってもよい。
【００５４】
また、上記第１から第３の各実施形態においては、加工用図面５０に一つの製品図５１と、この製品の製造に用いるＮＣデータを取得するための一つの画像コード５５が記載される場合を例に挙げて説明したが、本発明はこれに限定されるものではなく、加工用図面５０は複数の製品に関する製品図５１が掲載された図面であってもよく、この場合、加工用図面５０に複数のコード表示欄５４を設け、各製品に対応する図面関連情報を取得するための画像コード５５を、それぞれ印刷しても良い。その他の細部構成についても、本発明の主旨を逸脱することのない範囲において、適宜変更可能である。
【図面の簡単な説明】
【００５５】
【図１】第１の実施形態に係る図面情報管理システムの構成を示す図である。
【図２】図面情報管理システムにおいて使用される図面の構成例を示す図である。
【図３】図面情報管理システムにおいて表示される画面の構成例を示す図であり、図３Ａは図面情報登録装置が表示する画面の例を示し、図３Ｂは図面情報取得装置が表示する画面の例を示す。
【図４】図面情報管理システムの動作を示すフローチャートである。
【図５】図面情報管理システムの動作を示すフローチャートである。
【図６】第２の実施形態における図面情報管理システムの動作を示すフローチャートである。
【図７】第３の実施形態における図面情報管理システムの動作を示すフローチャートである。
【符号の説明】
【００５６】
１  図面情報管理システム
１０  ネットワーク（広域ネットワーク）
２０  図面情報管理サーバ
２１  図面情報管理データベース
３０  図面情報登録装置
３１  ＣＡＤ装置
３２  印刷装置
３４  アドレス発行部
３５  ＮＣデータ取得部
３６  画像コード生成部
３７  図面データ登録画面
４０  図面情報取得装置
４１  画像コード読取装置
４２  制御ケーブル
４３  ＮＣ加工装置
４５  ＮＣデータ出力部
４７  図面データ取得画面
５０  加工用図面
５１  製品図
５４  コード表示欄
５５  画像コード
【図１】
2009230197.tif 000003
【図２】
2009230197.tif 000004
【図３】
2009230197.tif 000005
【図４】
2009230197.tif 000006
【図５】
2009230197.tif 000007
【図６】
2009230197.tif 000008
【図７】
2009230197.tif 000009